(57)【要約】【課題】  メールボックス操作機能に対応していない移動端末や、今後、メールボックス操作機能を搭載しない移動端末（３Ｇ移動端末）を利用するユーザに対してもサービス上の利用制限を無くして、利便性を向上させるとともに、システム運用上の制限を緩和する。【解決手段】  本発明の移動体通信システムは、移動端末（ＵＥ）１からのＨＴＴＰリクエストを受信してメールボックス（ＭＭＢＯＸ）１４操作用のウェブ画面を生成し、生成した当該ウェブ画面をＨＴＴＰレスポンスとして移動端末（ＵＥ）１に返送するメールウェブサーバ（ＭＷＥＢ）１２を備え、生成されたウェブ画面によりマルチメディアメッセージが格納されたメールボックス（ＭＷＥＢ）１２に移動端末（ＵＥ）１がアクセスができるようにしている。これにより、マルチメディアメッセージのリスト取得、閲覧、削除、転送、受信通知再送などの操作が行えるようになる。【選択図】  図１
2007180944.tif 000002
【特許請求の範囲】
【請求項１】
移動端末宛のマルチメディアメッセージを格納するメールボックスと、ネットワークを介してマルチメディアメッセージの送受信を行い、受信したマルチメディアメッセージを前記メールボックスに格納させるとともに、格納された当該マルチメディアメッセージの取り出しおよび配信を行うメールサーバとを備えた移動体通信システムであって、
前記移動端末からのＨＴＴＰリクエストを受信して前記メールボックス操作用のウェブ画面を生成し、生成した当該ウェブ画面をＨＴＴＰレスポンスとして前記移動端末に返送するメールウェブサーバを備え、
前記生成されたウェブ画面により前記マルチメディアメッセージが格納されたメールボックスに当該移動端末がアクセスできるようにしたことを特徴とする移動体通信システム。
【発明の詳細な説明】
【技術分野】
【０００１】
本発明は、携帯電話などの移動端末宛のマルチメディアメッセージ（ＭＭ）を格納するメールボックス（ＭＭＢＯＸ）と、ネットワークを介してマルチメディアメッセージの送受信を行い、受信したマルチメディアメッセージを前記メールボックスに格納させるとともに、格納された当該マルチメディアメッセージの取り出しおよび配信を行うメールサーバとを備えた移動体通信システムに関する。
【背景技術】
【０００２】
従来より、携帯電話などの移動端末からインターネットに接続することのできる移動体通信システムが運用されている。しかしながら、従来の移動体通信システムにおいては、各移動体通信事業者ごとにそれぞれ独自のプロトコルが用いられていた。
近年、いわゆる第３世代と呼ばれる携帯電話サービスが導入されるようになったが、この第３世代の移動体通信システムにおいては同一の移動端末（以下では、３Ｇ移動端末という）を世界中で共通に使用することができるように標準化が進められており、非特許文献１に示されるように、ＷＡＰ（Wireless Application Protocol）及びＭＭＳ（Multimedia Messaging Service）の規格が共通仕様として採用されている。
【非特許文献１】The WAP Forum Ltd., "WAP 2.0 Technical White Paper", [online], (2002.01.18)，［平成１７年１１月１１日検索］，インターネット<URL:http://www.wapforum.org/what/WAPWhite#Paper1.pdf>
【発明の開示】
【発明が解決しようとする課題】
【０００３】
ところで、３Ｇ移動端末には、メールボックス（ＭＭＢＯＸ）操作機能に対応している移動端末と、メールボックス操作機能に対応していない移動端末とがある。メールボックス操作機能に対応している移動端末の場合、移動端末に搭載されている「メール操作機能（メーラの機能）」を用いて、メールボックスに保存されているマルチメディアメッセージのリスト取得、閲覧、削除、転送、受信通知再送などを行うことができるようになされている。ところが、メールボックス操作機能に対応していない移動端末では、メールボックスに保存されているマルチメディアメッセージのリスト取得、閲覧、削除、転送、受信通知再送などができないという問題があった。
【０００４】
ここで、メールボックスに保存されているマルチメディアメッセージのリスト取得、閲覧、削除、転送、受信通知再送などができないと以下のような不都合が生じる。例えば、移動端末の電源がオフにされた状態や圏外の状態が長時間続いた場合、受信通知（Notification）を受信できずに、受信通知のリトライアウトに至る（これは、受信通知のリトライには制限が設けられているため、制限時間が超過するとリトライアウトとなるためである）という状況が生じる。この場合には、マルチメディアメッセージを受信したことを知るすべがないため、メール本文の受信機会を逸するという問題を生じた。
【０００５】
また、メールボックスに保存されているマルチメディアメッセージの削除や転送ができないため、メールボックスの保存容量がフル（例えば、マルチメディアメッセージの保存件数は３０件までで、保存容量は合計３ＭＢまでに制限される場合が多い）になると、その後はメールを受信することができないという問題が生じた。このように、ユーザに対してマルチメディアメッセージィングサービス（ＭＭＳ：Multimedia Messaging Service、以下では、単にＭＭＳという）の利用が一部制限されるという問題も生じた。
【０００６】
また、メールボックス操作機能に対応していない移動端末では、メールボックスの空き容量を確保することを考慮する必要がある。このため、本来、メールボックスの性能上、例えば１ＭＢ以内の受信メールを許容できるにもかかわらず、例えば３００ＫＢ以上のメールを送信したときに、メールサーバが３００ＫＢ以上のメールを一律に受信拒否して、送信元にエラーを返送するといった運用上の制限を持たせなければならないという問題も生じた。
【０００７】
そこで、本発明は上記の如き問題点を解決するためになされたものであって、メールボックス操作機能に対応していない移動端末や、今後、メールボックス操作機能を搭載しない移動端末（３Ｇ移動端末）を利用するユーザに対してもサービス上の利用制限を無くして、利便性を向上させるとともに、システム運用上の制限を緩和することを目的としてなされたものである。
【課題を解決するための手段】
【０００８】
本発明は、移動端末宛のマルチメディアメッセージを格納するメールボックスと、ネットワークを介してマルチメディアメッセージの送受信を行い、受信したマルチメディアメッセージをメールボックスに格納させるとともに、格納された当該マルチメディアメッセージの取り出しおよび配信を行うメールサーバとを備えた移動体通信システムである。そして、上記目的を達成するため、移動端末からのＨＴＴＰリクエストを受信してメールボックス操作用のウェブ画面を生成し、生成した当該ウェブ画面をＨＴＴＰレスポンスとして移動端末に返送するメールウェブサーバを備え、生成されたウェブ画面によりマルチメディアメッセージが格納されたメールボックスに当該移動端末がアクセスができるようにして、マルチメディアメッセージのリスト取得、閲覧、削除、転送、受信通知再送などの操作を行えるようにしたことを特徴とする。
【発明の効果】
【０００９】
これにより、メールボックス操作機能に対応していない移動端末であっても、安全かつ簡単にメールボックスの操作が可能になる。この結果、サービス上の利用制限を無くして、利便性を向上させるとともに、システム運用上の制限が緩和でき、システム運用上の受信メールのサイズ制限の緩和が可能となる。
【発明を実施するための最良の形態】
【００１０】
ついで、本発明の一実施の形態を図１〜図１０に基づいて説明するが、本発明はこの実施の形態に何ら限定されるものでなく、本発明の目的を変更しない範囲で適宜変更して実施することが可能である。なお、図１は本発明の移動体通信システムの全体構成の概略を模式的に示すブロック図である。図２は、図１に示された移動体通信システムにおいて実行されるＷＡＰプロトコルによるマルチメディアメッセージ（ＭＭ）のリスト閲覧処理の一例を示すシーケンス図である。図３は、図２に示されたリスト閲覧処理において移動端末（ＵＥ）の表示画面に示される表示例を模式的に示す図である。図４は、図１に示された移動体通信システムにおいて実行されるＷＡＰプロトコルによるマルチメディアメッセージ（ＭＭ）の詳細閲覧処理の一例を示すシーケンス図である。
【００１１】
図５は、図４に示されたマルチメディアメッセージ（ＭＭ）の詳細閲覧処理において移動端末（ＵＥ）の表示画面に示される表示例を模式的に示す図である。図６は、図１に示された移動体通信システムにおいて実行されるＷＡＰプロトコルによるマルチメディアメッセージ（ＭＭ）の削除処理の一例を示すシーケンス図である。図７は、図１に示された移動体通信システムにおいて実行されるＷＡＰプロトコルによるマルチメディアメッセージ（ＭＭ）の転送処理の一例を示すシーケンス図である。図８は、図７に示されたマルチメディアメッセージ（ＭＭ）の転送処理において移動端末（ＵＥ）の表示画面に示される表示例を模式的に示す図である。図９は、図１に示された移動体通信システムにおいて実行されるＷＡＰプロトコルによるマルチメディアメッセージ（ＭＭ）の受信通知再送処理の一例を示すシーケンス図である。図１０は、図９に示された受信通知再送処理において移動端末（ＵＥ）に示される表示画面に示される表示例を模式的に示す図である。
【００１２】
１．移動体通信システム
本発明の移動体通信システム１０においては、図１に示すように、携帯電話機等の移動端末（ＵＥ：User Equipment）１と、この移動端末１が接続されている無線基地局（ＢＴＳ：Base Transceiver Station）２と、複数の無線基地局２を管理する無線基地局制御装置（ＲＮＣ：Radio Network Controller）３と、無線基地局制御装置（ＲＮＣ）３とコアネットワーク（パケット網）とのゲートウエイ（ＳＧＳＮ：Serving GPRS Support Node）４と、コアネットワーク（パケット網）とインターネットなどのＩＰネットワークとのゲートウエイ（ＧＧＳＮ：Gateway GPRS Support Node）５と、後述するＰＰＧ１６からの受信通知の配信指示に基づいて、ＵＥに対して受信通知をショートメッセージで配信するサービスセンタ（ＳＭＳＣ：Short Message Service Center）６と、無線基地局制御装置３に接続され、移動端末１の呼接続制御やサービス制御等を行う移動通信交換局（ＭＳＣ：Mobile service Switching Center）７とを備えている。
【００１３】
また、ＷＡＰ（Wireless Application Protocol）とＨＴＴＰ（Hyper Text Transfer Protocol）とを変換するノード（ＷＡＰ−ＧＷ：WAP-Gateway）、および、受け付けたリクエストを適切な形式に変換して後段に送出するなどしてＷＡＰ標準機能と移動体通信事業者による拡張機能との調整を行うアプリケーションゲートウエイ（ＪＳＰ：J-Phone Scheme Proxy）とを有する調整サーバ（ＷＡＰ−ＧＷ／ＪＳＰ）１１を備えている。ここで、ＨＴＴＰは、ウェブブラウザとウェブサーバ間において、ＨＴＭＬ（Hyper Text Markup Language）ファイルなどの文書を転送するために用いられるアプリケーションレベルのプロトコルである。なお、図１においては、調整サーバ（ＷＡＰ−ＧＷ／ＪＳＰ）１１は、１個しか図示していないが、これらは処理を分散することができるように、それぞれ複数個設けるようにすると共にロードバランサーを設けて処理を振り分けるようにしてもよい。
【００１４】
また、移動端末（ＵＥ）１におけるユーザエージェント（この場合はウェブブラウザとなる）からのＨＴＴＰ（Hyper Text Transfer Protocol）リクエストを調整サーバ（ＷＡＰ−ＧＷ／ＪＳＰ）１１を介して受信して、メールボックス（ＭＭＢＯＸ）操作用のウェブ画面を生成するとともに、生成したウェブ画面を移動端末（ＵＥ）１にＨＴＴＰレスポンスとして返送するメールウエッブサーバー（ＭＷＥＢ：Mail WEB-server）１２を備えている。
【００１５】
ここで、ＭＷＥＢ１２は、ＨＴＴＰリクエストの受信電文チェックを行って加入者を特定し、当該移動端末１の加入者情報取得要求をＤＩＲ１５に求め、取得した加入者情報に基づいて加入者認証を行う機能を備えている。そして、ＭＷＥＢ１２は、移動端末１からのＨＴＴＰリクエストとしてのリスト取得要求に基づいてリスト閲覧画面を生成させ、詳細要求に基づいて詳細画面を生成させる機能を備えている。また、削除要求に基づいて削除確認画面を生成させるとともに、削除応答に基づいて削除結果画面を生成させる機能を備えている。また、転送実行要求に基づいて転送結果画面を生成させ、受信通知再送要求に基づいて受信通知再送結果画面を生成させる機能を備えている。
【００１６】
また、マルチメディアメッセージィングサービスリレイ（ＭＭＳ−Ｒ：Multimedia Messaging Service-Relay、以下では、単にＭＭＳ−Ｒという）１３ａと、マルチメディアメッセージィングサービスサーバ（ＭＭＳ−Ｓ：Multimedia Messaging Service-Server、以下では、単にＭＭＳ−Ｓという）１３ｂとからなるメールサーバー１３を備えている。この場合、ＭＭＳ−Ｒ１３ａは、ネットワークを介してマルチメディアメッセージ（ＭＭ）の受信および送信を行うとともに、受信したマルチメディアメッセージ（ＭＭ）をＭＭＳ−Ｓ１３ｂを介してメールボックス（ＭＭＢＯＸ）１５に格納させる。また、メールボックス（ＭＭＢＯＸ）１４に格納されたマルチメディアメッセージ（ＭＭ）を取り出して、移動端末（ＵＥ）１に配信するようになされている。一方、ＭＭＳ−Ｓ１３ｂは、メールボックス（ＭＭＢＯＸ）１４を管理するサーバとなる。
【００１７】
さらに、マルチメディアメッセージ（ＭＭ）を格納するメールボックス（ＭＭＢＯＸ：Multimedia Messaging BOX、以下では、単にＭＭＢＯＸという）１４と、全世代、全地域間で共用される全加入者情報を一元管理するディレクトリサーバ（ＤＩＲ：Directory Server、以下では、単にＤＩＲという）１５と、プッシュプロキシーゲートウェイ（ＰＰＧ：Push Proxy Gateway、以下では、単にＰＰＧという）１６とを備えている。ＭＭＢＯＸ１４は受信したマルチメディアメッセージ（ＭＭ）を保存する。ＤＩＲ１５は、全加入者情報を一元管理（全世代／全地域間で共用する）して、照会要求に対して加入者情報を提供するようになされている。ＰＰＧ１６は、マルチメディアメッセージ（ＭＭ）の受信通知（Notification）の配信指示を行うようになされている。
【００１８】
２．移動体通信システムの処理動作
ついで、上述のような構成となる本発明の移動体通信システムの処理動作について、リスト閲覧処理動作、メール詳細処理動作、メール削除処理動作、メール転送処理動作、受信通知再送処理動作の順で、以下に説明する。
【００１９】
（１）リスト閲覧処理動作
まず、図２に示すシーケンスに基づいてリスト閲覧処理動作を説明する。この場合、移動端末１のユーザエージェントと調整サーバ（ＷＡＰ−ＧＷ／ＪＳＰ）１１との間でＴＣＰ（Transmission Control Protocol）セッションを確立するためのTCP Handshakeが行われてＴＣＰセッションが確立（Session Connected）されているものとする。このような状態で、移動端末１の利用者が当該移動端末１の表示画面（図３（ａ）参照）でメールリスト閲覧を操作（クリック）すると、移動端末（ＵＥ）１上で動作しているユーザエージェント（この場合は、ウエッブブラウザ）からＨＴＴＰ（HyperText Transfer Protocol）リクエスト（HTTP Req）（リスト閲覧要求）が調整サーバ（ＷＡＰ−ＧＷ／ＪＳＰ）１１に送出される。
【００２０】
このリクエスト（HTTP Req）（リスト閲覧要求）を受信した調整サーバ（ＷＡＰ−ＧＷ／ＪＳＰ）１１は、このリクエスト（HTTP Req）をメールウエッブサーバー（ＭＷＥＢ）１２に送る。すると、メールウエッブサーバー（ＭＷＥＢ）１２は、リクエスト（リスト閲覧要求）の受信電文チェックを行い、受信電文のヘッダから加入者を特定し、移動端末１の加入者情報取得要求をＤＩＲ１５に求める。この加入者情報取得要求に基づき、ＤＩＲ１５はデータベースを検索して移動端末１の加入者情報をメールウエッブサーバー（ＭＷＥＢ）１２に応答する。
【００２１】
ＭＷＥＢ１２がＤＩＲ１５から加入者情報取得要求の応答として加入者情報を受信すると、受信した加入者情報に基づいて加入者認証を行う。加入者認証の結果、「ＯＫ」であれば、ＭＷＥＢ１２はＭＭＳ−Ｒ１３ａに対してリスト取得要求を送信する。このリスト取得要求を受信したＭＭＳ−Ｒ１３ａは、ＭＭＳ−Ｓ１３ｂに対してリスト取得要求を送信する。すると、ＭＭＳ−Ｓ１３ｂはリスト取得応答を生成させ、生成させたリスト取得応答をＭＭＳ−Ｒ１３ａに対して送信する。これにより、ＭＭＳ−Ｒ１３ａはＭＷＥＢ１２に対してリスト取得応答を送信する。
【００２２】
ＭＷＥＢ１２がリスト取得応答を受信すると、受信したリスト取得応答に基づいてリスト閲覧画面を生成させ、この生成させたリスト閲覧画面をＨＴＴＰレスポンスとしてＷＡＰ−ＧＷ／ＪＳＰ１１に送信する。このリスト閲覧画面を受信したＷＡＰ−ＧＷ／ＪＳＰ１１は、ＨＴＴＰレスポンスとしてのリスト閲覧画面を移動端末（ＵＥ）１に送信する。これにより、移動端末（ＵＥ）１の表示画面に、図３（ｂ）に示すような「リスト閲覧画面」が表示されることとなる。
【００２３】
ここで、移動端末（ＵＥ）１の使用者が、詳細ページへのリンク（例えば、ａｋａ＠ｖｏｄａ）をクリックすることにより、以下に説明するメール詳細処理動作が実行される。また、メッセージを選択して「選択削除」をクリックすることにより、以下に説明する選択されたメッセージの削除動作が実行される。また、「全件削除」をクリックすることにより、以下に説明するメッセージの全件削除動作が実行されることとなる。さらに、メッセージを選択して「選択再送」をクリックすることにより、以下に説明する選択されたメッセージの再送動作が実行されることとなる。
【００２４】
（２）メール詳細処理動作
移動端末（ＵＥ）１の表示画面に、図３（ｂ）に示すような「リスト閲覧画面」が表示されている状態で、移動端末（ＵＥ）１の使用者が、詳細ページへのリンク（例えば、ａｋａ＠ｖｏｄａ）をクリックしたとする。すると、図４に示すように、移動端末（ＵＥ）１のユーザエージェントからＨＴＴＰリクエスト（詳細要求）がＷＡＰ−ＧＷ／ＪＳＰ１１に送出される。このＨＴＴＰリクエスト（詳細要求）を受信したＷＡＰ−ＧＷ／ＪＳＰ１１は、このＨＴＴＰリクエスト（詳細要求）をＭＷＥＢ１２に送る。
【００２５】
すると、ＭＷＥＢ１２は、ＨＴＴＰリクエスト（詳細要求）の受信電文チェックを行い、受信電文のヘッダから加入者を特定し、移動端末１の加入者情報取得要求をＤＩＲ１５に求める。この加入者情報取得要求に基づき、ＤＩＲ１５はデータベースを検索して移動端末１の加入者情報をＭＷＥＢ１２に応答する。ＭＷＥＢ１２がＤＩＲ１５から加入者情報取得要求の応答として加入者情報を受信すると、受信した加入者情報に基づいて加入者認証を行う。加入者認証の結果、「ＯＫ」であれば、ＭＷＥＢ１２はＭＭＳ−Ｒ１３ａに対して詳細要求を送信する。この詳細要求を受信したＭＭＳ−Ｒ１３ａは、ＭＭＳ−Ｓ１３ｂに対して詳細要求を送信する。
【００２６】
すると、ＭＭＳ−Ｓ１３ｂは詳細応答を生成させ、生成させた詳細応答をＭＭＳ−Ｒ１３ａに対して送信する。これにより、ＭＭＳ−Ｒ１３ａはＭＷＥＢ１２に対して詳細応答を送信する。ＭＷＥＢ１２が詳細応答を受信すると、受信した詳細応答に基づいて詳細画面を生成させ、この生成させた詳細画面をＨＴＴＰレスポンスとしてＷＡＰ−ＧＷ／ＪＳＰ１１に送信する。この詳細画面を受信したＷＡＰ−ＧＷ／ＪＳＰ１１は、ＨＴＴＰレスポンスとしての詳細画面を移動端末（ＵＥ）１に送信する。これにより、移動端末（ＵＥ）１の表示画面に、図５（ａ）に示すような「詳細画面」が表示されることとなる。
【００２７】
（３）メール削除処理動作
移動端末（ＵＥ）１の表示画面に、図３（ｂ）に示すような「リスト閲覧画面」が表示されている状態で、移動端末（ＵＥ）１の使用者が、「選択削除」ページへのリンクをクリックしたとする。すると、図６に示すように、移動端末（ＵＥ）１のユーザエージェントからＨＴＴＰリクエスト（削除要求）がＷＡＰ−ＧＷ／ＪＳＰ１１に送出される。このＨＴＴＰリクエスト（削除要求）を受信したＷＡＰ−ＧＷ／ＪＳＰ１１は、このＨＴＴＰリクエスト（削除要求）をＭＷＥＢ１２に送る。ＨＴＴＰリクエスト（削除要求）を受信したＭＷＥＢ１２はＨＴＴＰリクエスト（削除要求）の受信電文チェックを行い、削除確認画面を生成させる。
【００２８】
この生成させた削除確認画面をＨＴＴＰレスポンスとしてＷＡＰ−ＧＷ／ＪＳＰ１１に送信する。この削除確認画面を受信したＷＡＰ−ＧＷ／ＪＳＰ１１は、ＨＴＴＰレスポンスとしての削除確認画面を移動端末（ＵＥ）１に送信する。これにより、移動端末（ＵＥ）１の表示画面に、図５（ｂ）に示すような「削除確認画面」が表示されることとなる。そして、図５（ｂ）に示すような「削除確認画面」が表示されている状態で、移動端末（ＵＥ）１の使用者が、「はい」ページへのリンクをクリックしたとする。すると、図６に示すように、移動端末（ＵＥ）１のユーザエージェントからＨＴＴＰリクエスト（削除実行要求）がＷＡＰ−ＧＷ／ＪＳＰ１１に送出される。
【００２９】
このＨＴＴＰリクエスト（削除実行要求）を受信したＷＡＰ−ＧＷ／ＪＳＰ１１は、このＨＴＴＰリクエスト（削除実行要求）をＭＷＥＢ１２に送る。すると、ＭＷＥＢ１２は、ＨＴＴＰリクエスト（削除実行要求）の受信電文チェックを行い、受信電文のヘッダから加入者を特定し、移動端末１の加入者情報取得要求をＤＩＲ１５に求める。この加入者情報取得要求に基づき、ＤＩＲ１５はデータベースを検索して移動端末１の加入者情報をＭＷＥＢ１２に応答する。ＭＷＥＢ１２がＤＩＲ１５から加入者情報取得要求の応答として加入者情報を受信すると、受信した加入者情報に基づいて加入者認証を行う。加入者認証の結果、「ＯＫ」であれば、ＭＷＥＢ１２はＭＭＳ−Ｒ１３ａに対して削除要求を送信する。
【００３０】
この削除要求を受信したＭＭＳ−Ｒ１３ａは、ＭＭＳ−Ｓ１３ｂに対して削除要求を送信する。すると、ＭＭＳ−Ｓ１３ｂは削除応答を生成させ、生成させた削除応答をＭＭＳ−Ｒ１３ａに対して送信する。これにより、ＭＭＳ−Ｒ１３ａはＭＷＥＢ１２に対して削除応答を送信する。ＭＷＥＢ１２が削除応答を受信すると、受信した削除応答に基づいて削除結果画面を生成させ、この生成させた削除結果画面をＨＴＴＰレスポンスとしてＷＡＰ−ＧＷ／ＪＳＰ１１に送信する。この削除結果画面を受信したＷＡＰ−ＧＷ／ＪＳＰ１１は、ＨＴＴＰレスポンスとしての削除結果画面を移動端末（ＵＥ）１に送信する。これにより、移動端末（ＵＥ）１の表示画面に、図５（ｃ）に示すような「削除結果画面／削除しました。」が表示されることとなる。
【００３１】
（４）メール転送処理動作
移動端末（ＵＥ）１の表示画面に、図５（ａ）に示すような「詳細画面」が表示されている状態で、移動端末（ＵＥ）１の使用者が、「転送」ページへのリンクをクリックしたとする。すると、図７に示すように、移動端末（ＵＥ）１のユーザエージェントからＨＴＴＰリクエスト（転送要求）がＷＡＰ−ＧＷ／ＪＳＰ１１に送出される。このＨＴＴＰリクエスト（転送要求）を受信したＷＡＰ−ＧＷ／ＪＳＰ１１は、このＨＴＴＰリクエスト（転送要求）をＭＷＥＢ１２に送る。ＨＴＴＰリクエスト（転送要求）を受信したＭＷＥＢ１２はＨＴＴＰリクエスト（転送要求）の受信電文チェックを行い、アドレス入力画面を生成させる。
【００３２】
この生成させたアドレス入力画面をＨＴＴＰレスポンス（転送応答）としてＷＡＰ−ＧＷ／ＪＳＰ１１に送信する。このアドレス入力画面を受信したＷＡＰ−ＧＷ／ＪＳＰ１１は、ＨＴＴＰレスポンス（転送応答）としてのアドレス入力画面を移動端末（ＵＥ）１に送信する。これにより、移動端末（ＵＥ）１の表示画面に、図８（ｂ）に示すような「転送先確認」が表示されることとなる。そして、図８（ｂ）に示すような「転送先確認画面」が表示されている状態で、移動端末（ＵＥ）１の使用者が、「はい」ページへのリンクをクリックしたとする。すると、図７に示すように、移動端末（ＵＥ）１のユーザエージェントからＨＴＴＰリクエスト（転送実行要求）がＷＡＰ−ＧＷ／ＪＳＰ１１に送出される。
【００３３】
このＨＴＴＰリクエスト（転送実行要求）を受信したＷＡＰ−ＧＷ／ＪＳＰ１１は、このＨＴＴＰリクエスト（転送実行要求）をＭＷＥＢ１２に送る。ＨＴＴＰリクエスト（転送実行要求）を受信したＭＷＥＢ１２はＨＴＴＰリクエスト（転送実行要求）の受信電文チェックを行い、受信電文のヘッダから加入者を特定し、移動端末１の加入者情報取得要求をＤＩＲ１５に求める。この加入者情報取得要求に基づき、ＤＩＲ１５はデータベースを検索して移動端末１の加入者情報をＭＷＥＢ１２に応答する。ＭＷＥＢ１２がＤＩＲ１５から加入者情報取得要求の応答として加入者情報を受信すると、受信した加入者情報に基づいて加入者認証を行う。
【００３４】
加入者認証の結果、「ＯＫ」であれば、ＭＷＥＢ１２はＭＭＳ−Ｒ１３ａに対して転送実行要求を送信する。この転送実行要求を受信したＭＭＳ−Ｒ１３ａは、ＭＭＳ−Ｓ１３ｂに対して転送実行要求を送信する。すると、ＭＭＳ−Ｓ１３ｂは転送実行応答を生成させ、生成させた転送実行応答をＭＭＳ−Ｒ１３ａに対して送信する。これにより、ＭＭＳ−Ｒ１３ａは転送メッセージを生成させた後、生成させた転送メッセージのメッセージキューイングを行う。この後、ＭＭＳ−Ｒ１３ａはＭＷＥＢ１２に対して転送実行応答を送信するとともに、メッセージキューイングされている転送メッセージを転送先のメールサーバに転送する。
【００３５】
ＭＷＥＢ１２が転送実行応答を受信すると、受信した転送実行応答に基づいて転送結果画面を生成させ、この生成させた転送結果画面をＨＴＴＰレスポンスとしてＷＡＰ−ＧＷ／ＪＳＰ１１に送信する。この転送結果画面を受信したＷＡＰ−ＧＷ／ＪＳＰ１１は、ＨＴＴＰレスポンスとしての転送結果画面を移動端末（ＵＥ）１に送信する。これにより、移動端末（ＵＥ）１の表示画面に、図８（ｃ）に示すような「転送結果画面／転送しました。」が表示されることとなる。
【００３６】
（５）受信通知再送処理動作
移動端末（ＵＥ）１の表示画面に、図５（ａ）に示すような「詳細画面」が表示されている状態で、移動端末（ＵＥ）１の使用者が、「再送」ページへのリンクをクリックしたとする。すると、図９に示すように、移動端末（ＵＥ）１のユーザエージェントからＨＴＴＰリクエスト（再送要求）がＷＡＰ−ＧＷ／ＪＳＰ１１に送出される。このＨＴＴＰリクエスト（再送要求）を受信したＷＡＰ−ＧＷ／ＪＳＰ１１は、このＨＴＴＰリクエスト（再送要求）をＭＷＥＢ１２に送る。ＨＴＴＰリクエスト（再送要求）を受信したＭＷＥＢ１２はＨＴＴＰリクエスト（再送要求）の受信電文チェックを行い、受信電文のヘッダから加入者を特定し、移動端末１の加入者情報取得要求をＤＩＲ１５に求める。
【００３７】
この加入者情報取得要求に基づき、ＤＩＲ１５はデータベースを検索して移動端末１の加入者情報をＭＷＥＢ１２に応答する。ＭＷＥＢ１２がＤＩＲ１５から加入者情報取得要求の応答として加入者情報を受信すると、受信した加入者情報に基づいて加入者認証を行う。加入者認証の結果、「ＯＫ」であれば、ＭＷＥＢ１２はＭＭＳ−Ｒ１３ａに対して受信通知再送要求を送信する。この受信通知再送要求を受信したＭＭＳ−Ｒ１３ａは、ＭＭＳ−Ｓ１３ｂに対して受信通知再送要求を送信する。
【００３８】
すると、ＭＭＳ−Ｓ１３ｂは受信通知再送応答を生成させ、生成させた受信通知再送応答をＭＭＳ−Ｒ１３ａに対して送信する。これにより、ＭＭＳ−Ｒ１３ａは受信通知を生成させた後、生成させた受信通知のメッセージキューイングを行う。この後、ＭＭＳ−Ｒ１３ａはＭＷＥＢ１２に対して受信通知再送応答を送信する。ＭＷＥＢ１２が受信通知再送応答を受信すると、受信した受信通知再送応答に基づいて受信通知再送結果画面を生成させ、この生成させた受信通知再送結果画面をＨＴＴＰレスポンスとしてＷＡＰ−ＧＷ／ＪＳＰ１１に送信する。
【００３９】
この受信通知再送結果画面を受信したＷＡＰ−ＧＷ／ＪＳＰ１１は、ＨＴＴＰレスポンスとしての受信通知再送結果画面を移動端末（ＵＥ）１に送信する。これにより、移動端末（ＵＥ）１の表示画面に、図１０（ｂ）に示すような「受信通知再送結果画面／１件の受信通知の再送を受け付けました。受信までしばらくお待ち下さい。」が表示されることとなる。これにより、移動端末（ＵＥ）１の表示画面に受信通知再送結果画面が表示された後、移動端末（ＵＥ）１は、ＰＰＧ１６、ＳＭＳＣ６、ＭＳＣ７等を介して受信通知を受信することとなる。
【００４０】
上述したように、本発明においては、移動端末（ＵＥ）１からのＨＴＴＰリクエストを受信してメールボックス（ＭＭＢＯＸ）１４操作用のウェブ画面を生成し、生成した当該ウェブ画面をＨＴＴＰレスポンスとして移動端末（ＵＥ）１に返送するメールウェブサーバ（ＭＷＥＢ）１２を備え、生成されたウェブ画面によりマルチメディアメッセージが格納されたメールボックス（ＭＷＥＢ）１２に移動端末（ＵＥ）１がアクセスができるようにしている。これにより、マルチメディアメッセージのリスト取得、閲覧、削除、転送、受信通知再送などの操作が行えるようになる。この結果、メールボックス操作機能に対応していない移動端末であっても、安全かつ簡単にメールボックスの操作が可能になる。この結果、サービス上の利用制限を無くして、利便性を向上させるとともに、システム運用上の制限が緩和でき、システム運用上の受信メールのサイズ制限の緩和が可能となる。
【図面の簡単な説明】
【００４１】
【図１】本発明の移動体通信システムの全体構成の概略を模式的に示すブロック図である。
【図２】図１に示された移動体通信システムにおいて実行されるＷＡＰプロトコルによるマルチメディアメッセージ（ＭＭ）のリスト閲覧処理の一例を示すシーケンス図である。
【図３】図２に示されたリスト閲覧処理において移動端末（ＵＥ）の表示画面に示される表示例を模式的に示す図である。
【図４】図１に示された移動体通信システムにおいて実行されるＷＡＰプロトコルによるマルチメディアメッセージ（ＭＭ）の詳細閲覧処理の一例を示すシーケンス図である。
【図５】図４に示されたマルチメディアメッセージ（ＭＭ）の詳細閲覧処理において移動端末（ＵＥ）の表示画面に示される表示例を模式的に示す図である。
【図６】図１に示された移動体通信システムにおいて実行されるＷＡＰプロトコルによるマルチメディアメッセージ（ＭＭ）の削除処理の一例を示すシーケンス図である。
【図７】図１に示された移動体通信システムにおいて実行されるＷＡＰプロトコルによるマルチメディアメッセージ（ＭＭ）の転送処理の一例を示すシーケンス図である。
【図８】図７に示されたマルチメディアメッセージ（ＭＭ）の転送処理において移動端末（ＵＥ）の表示画面に示される表示例を模式的に示す図である。
【図９】図１に示された移動体通信システムにおいて実行されるＷＡＰプロトコルによるマルチメディアメッセージ（ＭＭ）の受信通知再送処理の一例を示すシーケンス図である。
【図１０】図９に示された受信通知再送処理において移動端末（ＵＥ）に示される表示画面に示される表示例を模式的に示す図である。
【符号の説明】
【００４２】
１…移動端末（ＵＥ：User Equipment）、２…無線基地局（ＢＴＳ：Base Transceiver Station）、３…無線基地局制御装置（ＲＮＣ：Radio Network Controller）、４…ゲートウエイ（ＳＧＳＮ：Serving GPRS Support Node）、５…ゲートウエイ（ＧＧＳＮ：Gateway GPRS Support Node）、６…ショートメッセージサービスセンタ（ＳＭＳＣ：Short Message Service Center）、７…移動通信交換局（ＭＳＣ：Mobile service Switching Center）、１０…移動体通信システム、１１…調整サーバ（ＷＡＰ−ＧＷ／ＪＳＰ）、１２…メールウエッブサーバー（ＭＷＥＢ：Mail WEB-server）、１３…メールサーバー、１３ａ…マルチメディアメッセージィングサービスリレイ（ＭＭＳ−Ｒ：Multimedia Messaging Service-Relay）、１３ｂ…マルチメディアメッセージィングサービスサーバ（ＭＭＳ−Ｓ：Multimedia Messaging Service-Server）、１４…メールボックス（ＭＭＢＯＸ）、１５…ディレクトリサーバ（ＤＩＲ：Directory Server）、１６…プッシュプロキシーゲートウェイ（ＰＰＧ：Push Proxy Gateway）
【図１】
2007180944.tif 000003
【図２】
2007180944.tif 000004
【図３】
2007180944.tif 000005
【図４】
2007180944.tif 000006
【図５】
2007180944.tif 000007
【図６】
2007180944.tif 000008
【図７】
2007180944.tif 000009
【図８】
2007180944.tif 000010
【図９】
2007180944.tif 000011
【図１０】
2007180944.tif 000012